(57)【要約】【課題】  シャワーヘッドの通水路を通過する湯水に異物が含まれていても、吐水部から吐水される湯水の吐水形態の切替えを行なうための操作ボタンの周囲から漏水することがなく、軽い操作力で吐水形態の切替えができるようにする。【解決手段】  湯水が通過する通水路１５が形成された本体１３と、この本体１３の下部に形成された複数の吐水部１８，１９と、本体１３の内部に装着された切替機構２０と、この切替機構２０と操作ロッド２１を介して連繋した操作ボタン１２とを備え、前記操作ロッド２１は本体１３に穿設された横孔１３ｂに支持され、外周面には横孔１３ｂとの水密を維持するシール部材３１が装着され、操作ボタン１２と連繋した切替機構２０の移動で吐水部１８，１９から吐水される湯水の吐水形態を切替可能としたシャワーヘッド１０において、前記操作ロッド２１は水密維持用のシール部材３１と通水路１５との間に異物捕獲用のシール部材３０が装着された。【選択図】  図２
2006083650.tif 000002
【特許請求の範囲】
【請求項１】
湯水が通過する通水路が形成された本体と、この本体の下部に形成され通水路から供給された湯水を外部へ吐水する複数の吐水部と、本体の内部に装着され吐水部から吐水される湯水の吐水形態を切替える切替機構と、この切替機構と操作ロッドを介して連繋した操作ボタンとを備え、前記操作ロッドは本体に穿設された横孔に支持され、外周面には横孔との水密を維持するシール部材が装着され、操作ボタンと連繋した切替機構の移動で吐水部から吐水される湯水の吐水形態を切替可能としたシャワーヘッドにおいて、前記操作ロッドは水密維持用のシール部材と通水路との間に異物捕獲用のシール部材が装着されたことを特徴とするシャワーヘッド。
【請求項２】
前記操作ボタンは操作ロッドが本体の横孔に対し前後方向に移動するプッシュ式であることを特徴とする請求項１記載のシャワーヘッド。
【請求項３】
前記操作ボタンは操作ロッドが本体の横孔に対し水平方向に回転する回転式であることを特徴とする請求項１記載のシャワーヘッド。
【発明の詳細な説明】
【技術分野】
【０００１】
この発明は、キッチン、洗面化粧台、浴室等に装着して使用されるシャワーヘッドに係り、特に、湯水の吐水流を直流吐水又はシャワー散水等、複数の吐水形態に切り替えられるようにしたシャワーヘッドに関する。
【背景技術】
【０００２】
従来、この種のシャワーヘッドとしては、例えば特許文献１に開示されているような構成のものが知られている。
【０００３】
すなわち、特許文献１のシャワーヘッドにおいては、本体の内部に湯水の吐水流を直流吐水又はシャワー散水に切替える切替機構が収容され、この切替機構は弁座と切替プレートと操作ボタンとを備え、円板状の弁座には２系統の流出口が同心状に形成されている。また、弁座上には円板状の切替プレートが回転可能に配設され、その切替プレートには弁座の流出口に選択的に整合する流路孔が形成されている。本体には切替プレートを回転させるための操作ボタンが前後方向に移動可能に支持され、その操作ボタンの近傍には操作ボタンを前後の２位置に保持するための保持機構が配設されている。そして、操作ボタンを押す毎に、切替プレートの流路孔と弁座の一方の流出口とが連通し、シャワーヘッドから吐水される湯水は直流吐水又はシャワー散水に切り変わるものである。
【０００４】
【特許文献１】特開平９−１７３２３８号公報
【０００５】
上記の構成では、切替プレートと操作ボタンとはロッド及びカム軸を介して連接され、ロッドの外周面にはシール部材が装着されていることで、シャワーヘッドの流路を通過する湯水が操作ボタンの周囲から外部へ漏水しないようにしているが、操作ボタンは湯水の流路を切替える操作を行なう毎に前後に移動するものであり、シャワーヘッドの流路を通過する湯水に異物が含まれていると、この異物がシール部材に付着し、操作ボタンの前後への移動が繰り返されるとシール部材を傷付けてしまい、シール状態を維持することができず、操作ボタンの周囲から外部へ湯水が漏水してしまう。また、シール部材に異物が付着しているため摺動抵抗が大きくなって操作ボタンが前後へ軽快に作動しなくなり、その解決策が望まれていた。
【発明の開示】
【発明が解決しようとする課題】
【０００６】
この発明は、このような従来の技術に存在する問題点に着目してなされたものであり、その課題は、シャワーヘッドの通水路を通過する湯水に異物が含まれていても、吐水部から吐水される湯水の吐水形態の切替えを行なうための操作ボタンの周囲から漏水することがなく、軽い操作力で吐水形態の切替えができるようにすることである。
【課題を解決するための手段】
【０００７】
上記目的を達成するため、請求項１に記載の発明では、湯水が通過する通水路が形成された本体と、この本体の下部に形成され通水路から供給された湯水を外部へ吐水する複数の吐水部と、本体の内部に装着され吐水部から吐水される湯水の吐水形態を切替える切替機構と、この切替機構と操作ロッドを介して連繋した操作ボタンとを備え、前記操作ロッドは本体に穿設された横孔に支持され、外周面には横孔との水密を維持するシール部材が装着され、操作ボタンと連繋した切替機構の移動で吐水部から吐水される湯水の吐水形態を切替可能としたシャワーヘッドにおいて、前記操作ロッドは水密維持用のシール部材と通水路との間に異物捕獲用のシール部材が装着されたことを特徴とするものである。
【０００８】
請求項２に記載の発明では請求項１記載のシャワーヘッドにおいて、前記操作ボタンは操作ロッドが本体の横孔に対し前後方向に移動するプッシュ式であることを特徴とするものである。
【０００９】
請求項３に記載の発明では、前記操作ボタンは操作ロッドが本体の横孔に対し水平方向に回転する回転式であることを特徴とするものである。
【発明の効果】
【００１０】
本発明の請求項１では、シャワーヘッドの通水路を通過する湯水に異物が含まれていても、この異物は異物捕獲用のシール部材で捕獲され、操作ボタンと切替機構とを連繋する操作ロッドに装着された漏水防止用のシール部材に異物が到達して付着することがなく、しかも異物が漏水防止用のシール部材を傷付けることもなく、操作ロッドと本体との間は長期間に渡って水密な状態が良好に維持され、操作ボタンを軽快に操作することができる。
【００１１】
請求項２に記載の発明では、操作ボタンは前後方向への移動が円滑となり、軽快に操作することができる。
【００１２】
請求項３に記載の発明では、操作ボタンは水平方向への回転が円滑となり、軽快に操作することができる。
【発明を実施するための最良の形態】
【００１３】
以下、本発明の実施例を図に基づいて詳細に説明する。
【実施例１】
【００１４】
図１に示すように、本発明のシャワーヘッド１０が取り付けられる水栓２は、キッチンの流し台１の上面に装着され、その基部上端には操作レバー３が突設されている。そして、この操作レバー３を垂直軸線の周りで左右方向に回動操作することにより、湯と水との混合比が変更されて吐出水の温度が調節される。また、操作レバー３を水平軸線の周りで上下方向に回動操作することにより、吐出水の開閉及び水量の調節が行なわれるようになっている。
【００１５】
前記水栓２の先端にはシャワーヘッド１０が取り付けられ、その先端下部には吐水口１１が突設されるとともに、先端前面にはプッシュ操作可能な操作ボタン１２が配設されている。そして、この操作ボタン１２をプッシュ操作するごとに、吐水口１１からの吐水が直流吐水とシャワー散水とに交互に切替えられるようになっている。
【００１６】
次に、前記シャワーヘッド１０の構成について詳細に説明する。図２及び図３に示すように、シャワーヘッド１０は本体１３の外周にカバー１４が嵌着されるとともに、下面には前記吐水口１１が取り付けられている。本体１３は内部に湯水が通過する通水路１５が形成され、その基端には可塑性を有するホース１６が接続部１７を介して接続され、そのホース１６の他端部が前記水栓２内の図示しない湯水混合機構に接続されている。そして、湯水混合機構にて調節された所定温度の湯水が、このホース１６を介して本体１３の通水路１５に供給されるようになっている。また、シャワーヘッド１０はホース１６と共に水栓２から引き出すことができるようになっている。
【００１７】
前記吐水口１１の中央には直流吐水部１８が形成されるとともに、その周囲には複数の小孔よりなるシャワー吐水部１９が形成されている。本体１３内には切替機構２０が配設され、ホース１６から本体１３の通水路１５に供給された湯水の吐出流路が、この切替機構２０により直流吐水部１８側とシャワー吐水部１９側とに切替えられるようになっている。
【００１８】
前記シャワーヘッド１０は本体１３の前端面に穿設された横孔１３ｂに操作ロッド２１が前後移動方向へ移動可能に挿通支持され、その前端には前記操作ボタン１２が取り付けられている。操作ロッド２１の前端と本体１３との間にはバネ２２が介装され、このバネ２２により操作ロッド２１及び操作ボタン１２が前方に向かって移動付勢されている。操作ロッド２１の後端には、切替機構２０の切替レバー２３上の係合面２４に係合可能な球面状の係合部２５が形成されるとともに、切替レバー２３上の係合ピン２６に係合する係合孔２７が形成されている。
【００１９】
前記操作ロッド２１は外周面に環状溝３０が形成され、この環状溝３０には第１シール部材３１と第２シール部材３２とが装着されている。両シール部材３１，３２は例えばゴム，樹脂などの弾性体により環状に形成され、横孔１３ｂの内周面に密着するものである。第１シール部材３１は異物捕獲用で、通水路１５を通過する湯水に含まれている異物を捕獲し、第２シール部材３２へ到達するのを防止するためのものであり、第２シール部材３２と通水路１５との間に装着される。第２シール部材３２は水密維持用で、本体１３と操作ロッド２１との隙間から操作ボタン１２の周囲を伝って湯水が外部へ漏水するのを防止するためのものである。
【００２０】
前記本体１３の内部には、切替機構２０に対して上方及び後方へオフセットして位置するように、かつ、切替機構２０を介して操作ボタン１２の反対側に位置するように保持機構３３が配設されている。そして、この保持機構３３により、操作ボタン１２及び操作ロッド２１が前後の２位置に保持されるようになっている。この保持機構３３においては、本体１３内に保持ロッド３４が前後方向へ移動可能に配設され、その前端が操作ロッド２１に対して連結ピン３５及び係合孔２７の係合を介して連結されている。
【００２１】
前記保持ロッド３４は外周面に環状溝３６が形成され、この環状溝３６には第３シール部材３７と第４シール部材３８とが装着されている。この場合、両シール部材３７，３８は保持機構３３に穿設された横孔３３ａの内周面に密着するもので、第３シール部材３７は通水路１５を通過する湯水に含まれている異物が第４シール部材３８へ到達するのを防止するためのものであり、第４シール部材３８は保持機構３３の内部との水密状態を維持するためのものである。
【００２２】
次に、前記のように構成された水栓の動作を説明する。
図２に示すシャワーヘッド１０は、操作ボタン１２が本体１３に対し前方位置に配置されて、保持機構３３によりその位置に保持されている。この状態では、切替機構２０により湯水の吐出流路が直流吐水部１８側に切替えられている。よって、この状態にて図１に示す水栓２の操作レバー３を左右方向に回動操作するとともに上下方向に回動操作すれば、所定温度及び所定流量に調節された湯水が、吐水口１１の直流吐水部１８から吐出される。
【００２３】
この状態のシャワーヘッド１０において、吐水口１１からの吐出流路を直流吐水部１８からシャワー吐水部１９側に切替える場合には、操作ボタン１２を前方位置から後方位置にプッシュ操作すると、図３に示すように、保持機構３３により操作ボタン１２が後方位置に保持される。そして、操作ボタン１２の操作に伴い切替機構２０により湯水の吐出流路がシャワー吐水部１９側に切替えられる。よって、この状態で水栓２の操作レバー３を左右方向及び上下方向に回動操作すれば、所定温度及び所定水量に調節された湯水が、吐水口１１のシャワー吐水部１９から吐出される。
【００２４】
さらに、吐水口１１から吐出される湯水の吐出流路を直流吐水部１８側に再び切替える場合には、操作ボタン１２を繰り返しプッシュ操作すると、図２に示すように、操作ボタン１２がバネ２２の付勢力により後方位置から前方位置に移動されて、保持機構３３によりその位置に保持される。そして、操作ボタン１２の移動に伴い、切替機構２０により吐出流路が直流吐水部１８側に切替えられる。よって、この状態で水栓２の操作レバー３を操作すれば、前記と同様に湯水が直流吐水部１８から吐出される。
【００２５】
以上のように本実施例のシャワーヘッド１０は操作ボタン１２のプッシュ操作に伴い、湯水の吐水形態が切替えられるが、通水路１５を通過する湯水には異物が含まれている場合がある。この異物は操作ロッド２１の外周面と横孔１３ｂの内壁面との間の隙間を伝って第１シール部材３１に達する場合があるが、この第１シール部材３１が異物を捕獲し、第２シール部材３２へ到達することがなく、第２シール部材３２に異物が付着することがない。  従って、第２シール部材３２に異物が付着することにより、操作ロッド２１の外周面と横孔１３ｂの内壁面との間に隙間が形成され、操作ボタン１２の周囲と本体１３の間から湯水が漏れるということがない。しかも第２シール部材３２には異物が付着しないため、操作ボタン１２の操作時の摺動性の悪化を防止することができる。
さらに、保持機構と連繋した保持ロッド３４にも異物を捕獲するための第３シール部材が装着されており、第４シール部材に異物が到達することがないため、保持ロッド３４と連繋した操作ボタン１２は長期間に渡って軽快に操作することができる。
【００２６】
なお、本実施例では吐水口には直流吐水部とシャワー吐水部とが形成されているが、直流吐水部とシャワー吐水部に替え、その他の吐水形態としてもよい。
【実施例２】
【００２７】
次に実施例２のシャワーヘッドを図４及び図５に基づいて説明する。
この実施例２のシャワーヘッドは操作ボタンが回転式である点で、実施例１のシャワーヘッドとは異なる。シャワーヘッド１０ａは切替機構２０ａと連繋した回転式の操作ボタン１２ａが、本体１３ａの側面に形成された横孔４０に一部が外部に露出するように介在され、操作ボタン１２ａに対し垂直方向に連繋する操作ロッド２１ａは外周面に環状溝３０ａが形成され、この環状溝３０ａには第１シール部材３１ａと第２シール部材３２ａとが装着されている。この場合、第１シール部材３１ａは異物捕獲用で、通水路１５ａを通過する湯水に含まれている異物を捕獲し、第２シール部材３２ａへ到達するのを防止するためのものであり、第２シール部材３２ａと通水路１５ａとの間に装着される。第２シール部材３２ａは水密維持用で、本体１３ａと操作ロッド２１ａとの隙間から操作ボタン１２の周囲を伝って湯水が外部へ漏水するのを防止するためのものである。なお、実施例２のシャワーヘッドは保持機構が配設されていない点で、実施例１のシャワーヘッドと異なる。また、その他の実施例１と同一の物品については同一の符号を付し、その説明を省略する。
【００２８】
そして、操作ボタン１２ａのシャワーヘッド１０ａから突出している部分を押せば，直流吐水部１８又はシャワー吐水部１９から湯水が吐水される。この実施例でも通水路１５ａを通過する湯水に含まれる異物は第１シール部材３１ａで捕獲され、第２シール部材３２ａに到達することがなく、操作ボタン１２ａからの漏水を防止することができる。
【図面の簡単な説明】
【００２９】
【図１】本発明のシャワーヘッドが取り付けられた水栓の側面図である。
【図２】シャワーヘッドの直流吐水部からの吐水時の説明図である。
【図３】シャワーヘッドのシャワー吐水部からの吐水時の説明図である。
【図４】実施例２におけるシャワーヘッドの縦断面図ある。
【図５】実施例２のシャワーヘッドの平面図である。
【符号の説明】
【００３０】
１０    ：シャワーヘッド
１２    ：操作ボタン
１３    ：本体
１３ｂ  ：横孔
１５    ：通水路
１８    ：直流吐水部
１９    ：シャワー吐水部
２０    ：切替機構
２１    ：操作ロッド
３１    ：第１シール部材
３２    ：第２シール部材
【図１】
2006083650.tif 000003
【図２】
2006083650.tif 000004
【図３】
2006083650.tif 000005
【図４】
2006083650.tif 000006
【図５】
2006083650.tif 000007